(57)【特許請求の範囲】
【請求項１】
バンド外表面に形成した鋸歯状の係合溝にバックルの係合爪を係合させ該係止状態においてバンドはバックルに接近自在であるが後退不能としたバックルであって、
該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有する弾性片と、前記両側板に設置され該弾性片を両側部から押圧する解除ボタンとから構成し、該解除ボタンを片手の指先で撮むことにより前記弾性片を上方に弾発して前記係合溝と係合爪との係合を解除可能としたバックルにおいて、
前記弾性片の上部を上下方向に移動可能なロックボタンが前記バックル本体に設置され、該ロックボタンを押圧して下方に移動させると前記解除ボタンがロックされると共に、前記ロックボタンが前記バンドとバックルを分離する方向に作用する力に抵抗することを特徴とするバックル。
【請求項２】
前記ロックボタンが前記弾性片およびバックル本体に設けた凹部に嵌合することにより、前記バンドとバックルを分離する方向に作用する力に抵抗する請求項１記載のバックル。
【請求項３】
前記ロックボタンが前記バックル本体に設けたガイドに沿って上下動自在とされ、前記解除ボタンがロックされた状態では前記ロックボタンが前記弾性片上に設けた凸部に係合する請求項１記載のバックル。
【請求項４】
前記ロックが解除された状態では前記ロックボタンが前記バンドとバックルを片手の指先で引き寄せることのできる掛止突起としての役割を果たす請求項１〜３のいずれかに記載のバックル。
【請求項５】
前記解除ボタンがロックされた状態では前記ロックボタンの高さが前記バックルの高さと同じかこれよりも低い位置となることを特徴とする請求項４記載のバックル。
【請求項６】
バンド外表面に形成した鋸歯状の係合溝にバックルの係合爪を係合させ該係止状態においてバンドはバックルに接近自在であるが後退不能としたバックルであって、
該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有する弾性片と、前記両側板に設置され、該弾性片を両側部から押圧する解除ボタンとから構成し、該解除ボタンを片手の指先で撮むことにより前記弾性片を上方に弾発して前記係合溝と係合爪との係合を解除可能としたバックルにおいて、
一方向の長さがこれと直交する方向の長さよりも長い回動片が前記弾性片上に９０度回動自在に設置されると共に前記回動片上に回動操作部が一体として形成され、かつ、該回動片の長手方向の少なくとも一端部を前記天井枠側から受ける棚部が前記天井枠または前記側板に形成されてなり、該棚部と前記回動片の一端部との係合状態において前記解除ボタンがロックされることを特徴とするバックル。
【請求項７】
前記ロックが解除された状態では前記回動操作部が前記バンドとバックルを片手の指先で引き寄せることのできる掛止突起としての役割を果たす請求項６記載のバックル。
【請求項８】
前記解除ボタンがロックされた状態では前記回動操作部の高さが前記バックルの高さと同じかこれよりも低い位置となることを特徴とする請求項７記載のバックル。
【請求項９】
バンド外表面に形成した鋸歯状の係合溝にバックルの係合爪を係合させ該係止状態においてバンドはバックルに接近自在であるが後退不能としたバックルであって、
該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有する弾性片と、前記両側板に設置され該弾性片を両側部から押圧する解除ボタンとから構成し、該解除ボタンを片手の指先で撮むことにより前記弾性片を上方に弾発して前記係合溝と係合爪との係合を解除可能としたバックルにおいて、
前記天井枠と前記底板の間を上下方向に移動可能なストッパーがバックル本体に設置され、該ストッパーが前記底板側に移動した状態において前記バンドとバックルの係合が補助されることを特徴とするバックル。
【発明の詳細な説明】
【技術分野】
【０００１】
この発明は、係合溝を有するバンドまたはベルトを係止するためのバックルに関し、特に、運動靴、競技用靴、スノーボード靴、プロテクター係止ベルトなど、比較的強い締結力を必要とする製品のためのバックルに関するものである。
【背景技術】
【０００２】
従来、バンド（またはベルト）に係合溝を設け、この溝にバックルのフックを弾性的に係合し、随時、この係止状態を解放可能とするバックルが知られている。
本発明者らは、特許第３９８２９５５号公報（特許文献１）において、製作が容易で、軽量な合成樹脂バックルとして、対向する底板と天井枠および両者を接続する両側板とからなり、内部が係合溝を有するバンドの挿通空間とされたバックル本体と、前記天井枠の内側に水平設置され、一端部下面に前記バンドの係合溝に係合可能な係合爪を有し、他端部上面を押圧部とする操作板とから構成され、該操作板を前記係合爪と前記押圧部の中間点にて、対向する天井枠の二辺に各々連結することにより、該中間点を支点として揺動自在とした合成樹脂製バックルであって、前記バンドの外表面と前記天井枠に、前記バックル本体に該バンドを片手の指先で引き寄せることのできる一対の掛止突起を設けた合成樹脂製バックルを提案している。
【０００３】
前記合成樹脂製バックルは機能的に非常に優れ、ヘルメットのヘッドバンド用バックルとしては最適であるが、前記操作板の係合・解除における操作性を良くする為に操作板を支承する連結軸を細くすると、これを運動靴等の比較的強い締結力を必要とする製品に適用した場合、バンドとバックルの係止時においてバンドにバックルから引き離す方向に強い力が作用して、合成樹脂製の連結軸が破損する虞があった。
【０００４】
また、本発明者らは、特許第４００５１０９号（特許文献２）において、特に服飾品等の用途として好適なバンドとバックルのスライドアジャスタとして、軽量でシンプルな構成であって、バックル部の目立たない外観を有するスライドアジャスタとして、バンド外表面に形成した鋸歯状の係合溝にバックルの係合爪を係合させ該係止状態においてバンドはバックルに接近自在であるが後退不能としたバンドとバックルのスライドアジャスタにおいて、前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成すると共に、該操作板を前記係合爪と前記押圧部の中間点にて前記両側板を結ぶ連結軸で支承することにより該中間点を支点として揺動自在とし、前記バンドの外表面と前記押圧部に、前記バックルとバンドとを片手の指先で引き寄せることのできる一対の掛止突起を設けてなり、かつ、前記連結軸から掛止突起に至る操作板に対して、該掛止突起以外の部分に垂直方向の押圧力が直接作用するのを規制する部材がバックル本体に設けられたものを提案している。
【０００５】
このスライドアジャスタには規制部材が設けられているので、不用意なまたは突発的なロック解除の虞はないものの、前記押圧部または掛止突起に直接作用する押圧力に対しては、ロック解除を防止することはできない。
また、掛止部が突起状に形成されるので、前記バックルとバンドとを片手の指先で引き寄せるという観点では操作上のメリットがあるが、掛止突起が身体やその他の物体に当たって誤作動や怪我を引き起こす虞があった。
【先行技術文献】
【特許文献】
【０００６】
【特許文献１】特許第３９８２９５５号公報
【特許文献２】特許第４００５１０９号公報
【発明の概要】
【発明が解決しようとする課題】
【０００７】
本発明は、軽量かつ製作が容易であることに加えて、バンドをバックルから分離する方向に作用する力に対する抵抗力の強いロック機構付きバックルを提供することを目的とするものである。
【課題を解決するための手段】
【０００８】
本発明のバックルは、バンド外表面に形成した鋸歯状の係合溝にバックルの係合爪を係合させ該係止状態においてバンドはバックルに接近自在であるが後退不能としたバックルであって、該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有する弾性片と、前記両側板に設置され該弾性片を両側部から押圧する解除ボタンとから構成し、該解除ボタンを片手の指先で撮むことにより前記弾性片を上方に弾発して前記係合溝と係合爪との係合を解除可能としたバックルにおいて、前記弾性片の上部を上下方向に移動可能なロックボタンが前記バックル本体に設置され、該ロックボタンを押圧して下方に移動させると前記解除ボタンがロックされる共に、前記ロックボタンが前記バンドとバックルを分離する方向に作用する力に抵抗することを特徴とする。
【０００９】
前記ロックボタンが前記弾性片およびバックル本体に設けた凹部に嵌合することにより、前記バンドとバックルを分離する方向に作用する力に抵抗することが好ましい。
前記ロックボタンが前記バックル本体に設けたガイドに沿って上下動自在とされ、前記解除ボタンがロックされた状態では前記ロックボタンが前記弾性片上に設けた凸部に係合することが好ましい。
【００１０】
本発明のバックルは、バンド外表面に形成した鋸歯状の係合溝にバックルの係合爪を係合させ該係止状態においてバンドはバックルに接近自在であるが後退不能としたバックルであって、該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有する弾性片と、前記両側板に設置され、該弾性片を両側部から押圧する解除ボタンとから構成し、該解除ボタンを片手の指先で撮むことにより前記弾性片を上方に弾発して前記係合溝と係合爪との係合を解除可能としたバックルにおいて、一方向の長さがこれと直交する方向の長さよりも長い回動片が前記弾性片上に９０度回動自在に設置されると共に前記回動片上に回動操作部が一体として形成され、かつ、該回動片の長手方向の少なくとも一端部を前記天井枠側から受ける棚部が前記天井枠または前記側板に形成されてなり、該棚部と前記回動片の一端部との係合状態において前記解除ボタンがロックされることを特徴とする。
【００１１】
前記ロックが解除された状態では前記ロックボタンまたは前記回動操作部が前記バンドとバックルを片手の指先で引き寄せることのできる掛止突起としての役割を果たすことが好ましい。
前記解除ボタンがロックされた状態では前記ロックボタンまたは前記回動操作部の高さが前記バックルの高さと同じかこれよりも低い位置となることが好ましい。
【００１２】
本発明のバックルは、バンド外表面に形成した鋸歯状の係合溝にバックルの係合爪を係合させ該係止状態においてバンドはバックルに接近自在であるが後退不能としたバックルであって、該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有する弾性片と、前記両側板に設置され該弾性片を両側部から押圧する解除ボタンとから構成し、該解除ボタンを片手の指先で撮むことにより前記弾性片を上方に弾発して前記係合溝と係合爪との係合を解除可能としたバックルにおいて、前記天井枠と前記底板の間を上下方向に移動可能なストッパーがバックル本体に設置され、該ストッパーが前記底板側に移動した状態において前記バンドとバックルの係合が補助されることを特徴とする。
【発明の効果】
【００１３】
本発明のバックルは、前記弾性片に直接作用する外圧に対してもロック解除を防止することができる。また、本ロック機構はロックボタンまたは回動片が弾性片の弾発を規制すると共にバンドをバックルから分離する方向に作用する強い力をバックル全体に効果的に分散し、弾性片に部分的にかかる負担を軽減することができる。
従って、このバックルは運動靴等の比較的強い締結力を必要とする製品への適用が最適である。
【図面の簡単な説明】
【００１４】
【図１】バックル１０の斜視図とその平面図である。
【図２】バックル１０とバンド３０の係合状態を示す平面図および長手方向縦断側面図である。
【図３】バックル１０の動作を示す要部横断面図である。
【図４】バックル１０の他の実施形態の斜視図とその平面図である。
【図５】バックル１０のさらに別の実施形態の斜視図とその動作を示す要部縦断側面図である。
【図６】バックル１０のさらに別の実施形態の斜視図とその動作を示す要部縦断側面図である。
【発明を実施するための形態】
【００１５】
以下、本発明に係るロック機構付きバックルの実施形態を図面に基づいて説明する。
図１はバックル１０の斜視図であり、これらの図において、バックル１０は、底板１１、これに対向する天井枠１２、および底板１１と天井枠１２とを接続する側板１３、１３とからなる偏平かつ筒状のバックル本体１４により主体が構成される。バックル本体１４はバンドのスライド方向が挿通口１５、１５として開口され、その内部は後述する係合溝３１を有するバンド３０の挿通空間１６となる。
【００１６】
本実施形態では、底板１１の長手方向（バンドのスライド方向）の長さを天井枠１２の長手方向の長さよりも長くすることにより、バックル１０の被接続体（即ち、運動靴用バンド等）への取付けを容易にすると共に、バンドの挿通がスムーズに行われるようにしている。また、天井枠１２を偏平な板で構成することによっても同様の効果を得ることができる。
【００１７】
天井枠１２の内側には、その内に納まる大きさの弾性片２０が水平に設置される。弾性片２０の一端部２０Ａの下面には、バンド３０の係合溝に係合可能な係合爪２１（後記図を参照。）を突設している。弾性片２０は天井枠１２より若干低位置とすることにより、弾性片２０に不用意な外力がかかることを防止することができる。
【００１８】
前記側板１３、１３には、前記弾性片２０を両側部から押圧する解除ボタン１８、１８が設置される。解除ボタン１８、１８の端面は前記弾性片２０の対向辺に傾斜面をもって対向し、該傾斜面の角度を前記底板１１に近づくに従って前記解除ボタン１８、１８と前記弾性片２０との隙間が狭まるように形成される（図３参照。）。本実施形態において解除ボタン１８、１８の断面形状を矩形としたが、必ずしも矩形でなくともよい。
【００１９】
バックル１０の弾性片２０およびバックル本体１４にはそれぞれ凹部１７Ａ、１７Ｂが形成されており、ロックボタン４０が前記凹部１７Ａ、１７Ｂに沿って上下動自在に設置される。本実施形態においてロックボタン４０は略矩形の形状としたが、必ずしも矩形でなくともよい。また、凹部１７Ａ、１７Ｂの形状に格別の制限はなく、後記するようにロックボタン４０が嵌合する形状であれば良い。
【００２０】
続いて、上記バックル１０の作用について図２および図３を参照しながら説明する。
図２（１）はバックル１０とバンド３０の係合状態を示す平面図であり、図２（２）は長手方向縦断側面図である。
図２（２）には、前述した係合爪２１が示されている。なお、先に説明した部材については同一の符号を付してその説明を省略する（以下の説明でも同じ。）。
【００２１】
図２（１）、（２）において、バックル１０の挿通空間１６内にバンド３０が挿入され、バンド３０の外表面に形成された係合溝３１に、バックル１０の係合爪２１が係合している。係合溝３１はスライド方向の断面形状が鋸歯状、即ち、バンド３０の進行方向に向けて漸次深くなるテーパ面と、この最深位置より略垂直に立上る壁面とからなっている。
符号３５はバンドの外表面に設けた掛止突起であり、後記するようにロックボタン４０との双方に指先を掛けることにより、バンド３０をバックル１０に片手で引き寄せることが可能になる。
【００２２】
バンド３０を弾性片２０の他端部２０Ｂ側（図２において左側）の挿通口１５から挿通空間１６内に進入させていくと、バンド３０の上面が弾性片２０の係合爪２１に接触して、弾性片２０の一端部２０Ａを押し上げながら前進し、バックル１０に対するバンド３０の接近・離隔位置が調節される。
この状態では、図２（２）に示すように、係合爪２１が所定の係合溝３１と噛み合って係止しているので、バンド３０はバックル１０に対して進出自在であるが、後退不能である。
【００２３】
次に、バックル１０からバンド３０を後退させたり、引き抜いたりする操作について図３を用いて説明する。図３（１）は本バックルの要部横断面図であり、この状態から解除ボタン１８、１８を片手の指先で撮めば、図３（２）に示すように、解除ボタン１８、１８の傾斜面に沿って弾性片２０が持ち上がる結果、これに伴い係合爪２１が持ち上がり、係合爪２１が係合溝３１から外れるので、バンド３０を自由にスライドさせることができる（図２（３）参照。）。解除ボタン１８、１８から指を離せば、解除ボタン１８、１８は合成樹脂の弾性により元の位置に復帰する結果、弾性片２０も元の水平状態に復帰する。
前記弾性片２０の端面を前記解除ボタン１８、１８の対向辺に傾斜面を持って対向し、該傾斜面の角度を前記底板１１に近づくに従って前記解除ボタン１８、１８と前記弾性片２０との隙間が拡がるように形成しても同様の効果が得られる。
【００２４】
次に、本発明のロック機構について説明する。
前記の通り図２（２）はバンド３０の係合溝３１とバックル１０の係合爪２１との係止状態を示しているが、このときロックボタン４０はバックル本体１４より上方に突出した位置にあり、解除ボタン１８、１８のロックは解除された状態にある。
ここで、図１（３）に示すようにロックボタン４０を押圧し凹部１７Ａ、１７Ｂに嵌合させれば、ロックボタン４０により弾性片２０の弾発が規制されることになり、この状態では解除ボタン１８、１８は押されても動かない。図２（４）、図３（３）はこの解除ボタンのロック状態を示している。
ロック状態におけるロックボタン４０と弾性片２０との距離は、係合爪２１が係合溝３１から外れない程度に弾性片２０の弾発が規制される長さとすれば良い。
【００２５】
本ロック機構によれば、解除ボタン１８、１８がロックされた状態において、ロックボタン４０が弾性片２０およびバックル本体１４に設けた凹部１７Ａ、１７Ｂに嵌合しているので、前記バンド３０とバックル１０を分離する方向に作用する力に抵抗することができる。
つまり、バンド３０とバックル１０を分離する方向に強い力が作用すると、図１（４）に示すように弾性片２０がその他端部２０Ｂ方向（図１（４）において左側）に強く引っ張られる結果、弾性片２０に設けた凹部１７Ａに嵌合しているロックボタン４０も同方向に引っ張られるが、ロックボタン４０はバックル本体１４に設けた凹部１７Ｂにも嵌合しているため、前記引っ張りに抵抗する力（図１（４）において右方向の力）が発生する。
【００２６】
本実施形態によれば、解除ボタン１８、１８のロックが解除された状態では、ロックボタン４０がバックル本体１４から上方に突出しているので（図１（２）、図２（２）参照。）、ロックボタン４０自体が掛止突起として機能する。すなわち、ロックボタン４０とバンド３０の外表面に設けた掛止突起３５との双方に指先を掛けることにより、バンド３０をバックル１０に片手で引き寄せることが可能になる。
【００２７】
また、ロックボタン４０を押圧し凹部１７Ａ、１７Ｂに沿って下方に移動させれば、ロックボタン４０の高さが低くなるので、掛止突起としてのロックボタン４０が身体やその他の物体に当たって誤作動や怪我を引き起こす虞はない。本実施形態において、解除ボタン１８、１８のロック状態において、ロックボタン４０の高さがバックル本体１４の高さと略同一になるように設定したが、誤作動や怪我を引き起こす可能性を低減することができる高さとすれば良い。
【００２８】
ロックボタン４０はロック時と解除時における位置決め機構を備える必要があるが、例えば公知のハート型カムを用いたプッシュオンプッシュオフ方式のロック機構を採用することができる。この機構を採用すれば、解除ボタン１８、１８のロックが解除された状態においてロックボタン４０を押し込むとロック状態となり、この状態でさらにロックボタン４０を押し込むとロックを解除することができるため、操作性を良好にすることが可能になる。
このような位置決め機構を備えたロック機構の形態に格別の制限はなく、製作容易性と操作性の双方を考慮して適宜その機構を選択すれば良い。
【００２９】
また、図示しないが、前記解除ボタン１８、１８のロック状態において、ロックボタン４０が弾性片２０の上面に圧接するように設定した場合は、弾性片２０の一端部２０Ａに位置する係合爪２１が押し下げられてバンド３０の係合溝３１と強く噛み合うため、より強固なロック機構を実現することが可能となる。
【００３０】
本発明の別の実施形態について図４を参照しながら説明する。
図４（１）はバックル本体１４とロックボタン４０を分離して示す斜視図であり、バックル本体１４にはガイドＰ、Ｐが設けられロックボタン４０はガイドＰ、Ｐに沿って上下動自在とされる。また、弾性片２０の一端部２０Ａ上には解除ボタン１８、１８のロック状態において、ロックボタン４０と係合するための凸部Ｑが設けられる。
図４（２）は解除ボタン１８、１８のロックが解除された状態を示す図であり、このときロックボタン４０はガイドＰの上方に位置している。この状態から、図４（３）に示すようにロックボタン４０をガイドＰに沿って下方に移動すれば、ロックボタン４０により弾性片２０の上方への弾発が規制されることになり、この状態では解除ボタン１８、１８は押されても動かない。
図４（４）はこの解除ボタンのロック状態を示す平面図であり、この状態でバンド３０とバックル１０を分離する方向に強い力が作用すると、ロックボタン２０は凸部Ｑに押されて弾性片２０の他端部２０Ｂ方向（図４（４）において左側）に引っ張られるが、ロックボタン４０はバックル本体１４に設けたガイドＰに支えられているため、前記引っ張りに抵抗する力（図４（４）において右方向の力）が発生する。
本実施形態において前記ガイドＰの形状を矩形とした上でバックル本体１４に２つ設けたが、ガイドＰの形状、数量に格別の制限はなく、ロックボタン２０の上下動を確実にガイドすることができると共に前記引っ張りに抵抗する力を有する形状、数量とすれば良い。
【００３１】
続いて、回動片５０を用いたロック機構について図５を参照しながら説明する。
図５（１）は、回動片５０をバックル本体１４から分離して図示した斜視図であり、回動片５０はバンド３０の挿通方向の長さがこれと直交する方向の長さよりも長い偏平片であり、回動軸４５により弾性片２０上に９０度回動自在に設けられている。９０度の回動が担保されれば回動片５０の形状には特別の制限はないが、弾性片２０と概略同じ形状とすることがバックル１０を小型化する上で好ましい。また、回動片５０の表面には、回動操作部５２が上方に突出して設けられている。
【００３２】
天井枠１２には、回動片５０の長手方向の端部５５、５５を天井枠１２側から受ける棚部６０、６０が形成されており、該棚部６０、６０を回動片５０の長手方向両端部５５、５５が９０度の回動位置に至るまで漸次下降するような傾斜面６２、６２として形成されている。棚部６０、６０は回動片５０を天井枠１２側から支持することのできる大きさであれば良い。
回動片５０の一対の対角線上の隅角部には、これと対応する位置の棚部６０、６０に突設したストッパー６１、６１に当接して回動片５０を正確に９０度回動させることのできる切欠き５３、５３が形成されている。
【００３３】
図５（２）は本実施形態のバックル１０の斜視図であり、図５（３）は要部縦断側面図である。このとき回動片５０は天井枠１２の棚部６０とは係合状態になく、解除ボタン１８、１８のロックは解除された状態にある。
ここで、図５（４）に示すように回動片５０を手動にて９０度回動させれば、回動片５０の長手方向の両端部５５、５５が棚部６０、６０と係合して、天井枠１２側から支持されることになり、この状態では解除ボタン１８、１８は撮んでも動かない。この結果、弾性片２０の弾発が規制されることになる。図５（５）はこのロック状態を示す要部縦断側面図である。
【００３４】
本実施形態において前記棚部６０、６０を傾斜面６２、６２として形成しているので、回動片５０を回動させてロックすれば、回動片５０の長手方向両端部５５、５５が傾斜面６２、６２に沿って天井枠１２側から底板１１方向に移動する結果、回動操作部５２は天井枠１２と同じ高さとなる。したがって、解除ボタン１８、１８をロックした状態では、回動操作部５２が身体やその他の物体に当たって誤作動や怪我を引き起こす虞はない。
解除ボタン１８、１８のロック状態における回動操作部５２の高さについては、誤作動や怪我を引き起こす可能性を低減することができる高さとすれば良い。
【００３５】
また、本ロック機構によれば、解除ボタン１８、１８がロックされた状態において、バンド３０とバックル１０を分離する方向に強い力が作用すると、弾性片２０がその他端部２０Ｂ方向に強く引っ張られる結果、弾性片２０が上方に弾発する力が発生するが、弾性片２０上に設けた回動片５０が天井枠１２に形成される棚部６０、６０と係合しているため、前記引っ張りに抵抗する力が発生する。
【００３６】
続いて、バックル本体１４に設けられるストッパー７０により、バンド３０とバックル１０の係合を補助する機構について、図６を参照しながら説明する。
図６（１）と（２）は、ストッパー６０が上下に動く様子を示した斜視図である。
図６（３）はバックル１０とバンド３０の係止状態、即ち、係合爪２１と係合溝３１の係止状態を示す要部縦断側面図である。本実施形態において、ストッパー７０の下面にはバンドの係合溝３１と係合可能な係合爪７１が設けられている。
この状態から、図６（４）に示すようにストッパー７０を底板１１側に移動させて、係合爪７１とバンドの係合溝３１を係合させれば、バンド３０とバックル１０の係合を補強することができる。すなわち、ストッパー７０はバックル本体１４に設けられるので、バンド３０をバックル１０から分離する方向に強い力が作用したとしても、その力をバックル本体１４が受けるため、バンド３０とバックル１０の係合をより強固なものとすることが可能となる。
【００３７】
バックル１０は、可撓性を有する合成樹脂により成型することができ、ポリアセタール、ポリオキシメチレン、ポリアミド、ポリカーボネート、ナイロンなどの弾性を有する合成樹脂により成型することが好ましい。本発明のバックル１０は、僅かな部品により構成され、かつ、簡易な構造の故に、金型で容易に一体成型することができる。
【００３８】
本発明のバックル１０には、前記した特許文献１および特許文献２に開示した要素を取り入れることができる。
例えば、弾性片２０を水平状態に復元し易くするために弾性片２０の一端部２０Ａと対向する天井枠１２等とを連結した連結部材（図示せず。）を設けても良い。更に、挿通空間１６にはバンド３０の浮き上がりを防止するためのバンド押え（図示せず。）を設けることも可能である。
【符号の説明】
【００３９】
１０    バックル
１１    底板
１２    天井枠
１３    側板
１４    バックル本体
１６    挿通空間
１７    凹部
１８    解除ボタン
２０    弾性片
２０Ａ  弾性片の一端部
２０Ｂ  弾性片の他端部
２１    係合爪
３０    バンド
３１    係合溝
４０    ロックボタン
５０    回動片
６０    棚部
６２    傾斜面
７０    ストッパー
【図１】
0005840566.tif 000002
【図２】
0005840566.tif 000003
【図３】
0005840566.tif 000004
【図４】
0005840566.tif 000005
【図５】
0005840566.tif 000006
【図６】
0005840566.tif 000007